(57)【要約】【課題】この発明は、片開き窓を閉めた際に同時に施錠可能で、且つ、該片開き窓を開ける際には個別に開錠が必要であることにより防犯性を高めた片開き窓の施錠機構に関する。【解決手段】本発明に係る型開き窓の施錠機構１は、矩形状に形成されたその一辺を軸に回転自在に窓枠２に設けられ、建物の開口部を開閉自在とする片開き窓３の施錠機構１において、前記片開き窓３を閉鎖すると同時に該片開き窓３を施錠する複数の施錠部４と、該施錠部４を個別に開錠する開錠部５と、を具備するものである。【選択図】図２
2010070955.tif 000002
【特許請求の範囲】
【請求項１】
建物の開口部に設けた窓枠に開閉方向に回転自在に取付けられた片開き窓扉を閉鎖と同時に前記窓枠との間で施錠する複数の施錠部と、
該複数の施錠部を個別に開錠するためにそれぞれの施錠部に対応して設けた開錠部と、を具備することを特徴とする片開き窓の施錠機構。
【請求項２】
前記施錠部が、
前記窓枠の内部から前記窓枠の内側方向に突出するように付勢して当該窓枠に設けられたラッチボルトと、
該ラッチボルトと対応して該片開き窓扉の扉枠体に設けられた当該ラッチボルトの突出部分を格納する施錠凹部と、を具備し、
前記開錠部が、
閉鎖された前記片開き窓扉の扉枠体と前記窓枠との間に形成された隙間内で移動することにより前記ラッチボルトを前記窓枠の内部へその付勢力に抗して押込むための押込み部材と、該押込み部材の移動を前記建物の内側から操作するための操作部と、を具備することを特徴とする請求項１記載の片開き窓の施錠機構。
【請求項３】
前記押込み部材と前記操作部とが前記窓枠の屋内側面に固定された軸部を介して連動するように連結されていることを特徴とする請求項２記載の片開き窓の施錠機構。
【請求項４】
前記片開き窓扉を開放する際に、前記片開き窓扉の扉枠体と前記窓枠との隙間に挿入されて前記ラッチボルトを付勢力に抗して前記窓枠内へ押圧している前記押込み部材の当該ラッチボルトによる押圧を解除する方向へ回動させる解除突起が前記扉枠体の窓枠側面に設けられていることを特徴とする請求項２又は３記載の片開き窓の施錠機構。
【発明の詳細な説明】
【技術分野】
【０００１】
この発明は、建物の開口部を開閉自在とする片開き窓の施錠機構に関する。
【背景技術】
【０００２】
従来、戸建住宅等の建物において、空き巣を未然に防止するために、窓や玄関等に防犯性の高い２重ロックや鎌錠等の施錠機構が用いられている。しかし、戸建住宅における空き巣の侵入手口の約４割は無施錠の窓等からであることがわかっており、たとえ防犯性の高い施錠機構が用いられたとしても、これらを施錠し忘れた際には効果がないことは明らかである。
【０００３】
また、戸建住宅に空き巣が侵入する際には、住人が在宅している時にも多く発生し、住人が夜間就寝中に侵入する忍込みと、住人が在宅し、入浴や、食事等に熱中している隙に侵入する居空きと、を合わせると、住宅の空き巣被害の約４割を占めているとされている。そして、忍込みや居空きの場合には、侵入した空き巣と住人とが出会う場合もあり、その際には住人が空き巣に危害を加えられるという問題も生じている。そのため、施錠し忘れるということがないように窓等を閉めると同時に施錠される施錠機構が考案されている（例えば、特許文献１）。
【０００４】
【特許文献１】特開２００５−２９０７４４号公報
【発明の開示】
【発明が解決しようとする課題】
【０００５】
上述のように、２重ロックが採用されている場合には、当該片開き窓を閉めた際に、それぞれ個別に施錠する必要があるため手間がかかる。そのため、特許文献１のように、１つの動作で２つの鍵を同時に施錠することができれば利便性が向上してよいが、当該鍵を開錠する際にも１アクションとした場合には空き巣に２倍の手間をかけさせるという本来の意味がなくなり、住宅内への侵入を容易にするという問題もある。
【０００６】
この発明は上記のような種々の課題を解決することを目的としてなされたものであって、片開き窓扉を閉めた際に同時に施錠可能で、且つ、該片開き窓扉を開ける際には個別に開錠を必要とすることにより防犯性を高めた片開き窓の施錠機構を提供するものである。
【課題を解決するための手段】
【０００７】
上記目的を達成するために、請求項１記載の片開き窓の施錠機構は、建物の開口部に設けた窓枠に開閉方向に回転自在に取付けられた片開き窓扉を閉鎖と同時に前記窓枠との間で施錠する複数の施錠部と、該複数の施錠部を個別に開錠するためにそれぞれの施錠部に対応して設けた開錠部と、を具備することを特徴としている。
【０００８】
請求項２記載の片開き窓の施錠機構は、前記施錠部が、前記窓枠の内部から前記窓枠の内側方向に突出するように付勢して当該窓枠に設けられたラッチボルトと、該ラッチボルトと対応して該片開き窓扉の扉枠体に設けられた当該ラッチボルトの突出部分を格納する施錠凹部と、を具備し、前記開錠部が、閉鎖された前記片開き窓扉の扉枠体と前記窓枠との間に形成された隙間内で移動することにより前記ラッチボルトを前記窓枠の内部へその付勢力に抗して押込むための押込み部材と、該押込み部材の移動を前記建物の内側から操作するための操作部と、を具備することを特徴としている。
【０００９】
請求項３記載の片開き窓の施錠機構は、前記押込み部材と前記操作部とが前記窓枠の屋内側面に固定された軸部を介して連動するように連結されていることを特徴としている。
【００１０】
請求項４記載の片開き窓の施錠機構は、前記片開き窓扉を開放する際に、前記片開き窓扉の扉枠体と前記窓枠との隙間に挿入されて前記ラッチボルトを付勢力に抗して前記窓枠内へ押圧している前記押込み部材の当該ラッチボルトによる押圧を解除する方向へ回動させる解除突起が前記扉枠体の窓枠側面に設けられていることを特徴としている。
【発明の効果】
【００１１】
請求項１記載の片開き窓の施錠機構は、建物の開口部に設けた窓枠に開閉方向に回転自在に取付けられた片開き窓扉を閉鎖と同時に前記窓枠との間で施錠する複数の施錠部と、該複数の施錠部を個別に開錠するためにそれぞれの施錠部に対応して設けた開錠部と、を具備している。これにより、片開き窓扉を閉鎖すると同時にこれを複数の施錠部で施錠することができるので、住宅の住人等が当該片開き窓扉を施錠し忘れることがなく、防犯性を高めることができる。また、片開き窓扉の施錠部を施錠する際には同時に行うことができるが、当該施錠部を開錠する際には個別に開錠する必要があるので、住宅等の建物内に侵入しようとする空き巣がその開錠に手間取り侵入を断念させることができる。
【００１２】
請求項２記載の片開き窓の施錠機構は、前記窓枠の内部からその内側方向に突出するように付勢して当該窓枠に設けられたラッチボルトと、該ラッチボルトと対応して該片開き窓扉の扉枠体に設けられた当該ラッチボルトの突出部分を格納する施錠凹部と、を具備している。これにより、片開き窓扉を閉鎖する際には、扉枠体の一部がラッチボルトと接触することによって当該ラッチボルトは付勢力に抗して窓枠内部に引込む。そして、片開き窓扉を完全に閉鎖した際には、ラッチボルトと対応する位置に設けられた施錠凹部に、前述のように引込んだラッチボルトが付勢力に従って再び飛出し突出部が格納されて、該片開き窓扉がラッチボルトに係止される。そのため、複数設けられた施錠部を片開き窓扉を閉めると同時に施錠することができるので、住宅の住人等が当該片開き窓扉を施錠し忘れることがなく、防犯性を高めることができる。
【００１３】
そして、前記開錠部が、閉鎖された前記片開き窓扉の扉枠体と前記窓枠との間に形成された隙間内で移動することにより前記ラッチボルトを前記窓枠の内部へその付勢力に抗して押込むための押込み部材と、該押込み部材の移動を前記建物の内側から操作するための操作部と、を具備している。従って、建物の内側から操作部を操作することによって、押込み部材がラッチボルトをその付勢力に抗して押込むことにより、当該ラッチボルトに係止されていた片開き窓扉の施錠部が開錠され、当該片開き窓扉を開放することができる。そのため、当該施錠部を開錠する際には個別に開錠する必要があるので、住宅等の建物内に侵入しようとする空き巣がその開錠に手間取り侵入を断念させることができる。
【００１４】
請求項３記載の片開き窓の施錠機構は、前記押込み部材と前記操作部とが前記窓枠の屋内側面に固定された軸部を介して連動するように連結されている。これにより、建物の内側から操作部を操作することにより軸部を中心として押込み部材が連動して移動するため、片開き窓扉の開錠作業を容易に行うことができる。
【００１５】
請求項４記載の片開き窓の施錠機構は、前記片開き窓扉を開放する際に、前記片開き窓扉の扉枠体と前記窓枠との隙間に挿入されて前記ラッチボルトを付勢力に抗して前記窓枠内へ押圧している前記押込み部材の当該ラッチボルトによる押圧を解除する方向へ回動させる解除突起が前記扉枠体の窓枠側面に設けられている。これにより、片開き窓扉を開放する際に押込み部材を軸部を中心にして前記隙間の下方へ移動させることによりラッチボルトから押込み部材が外れるので、扉枠体内に格納されたラッチボルトがその付勢力に従って当該扉枠体から突出する。そのため、開放された片開き窓扉を再び閉鎖した際には、前述のように当該片開き窓扉をラッチボルトによって施錠できる。
【発明を実施するための最良の形態】
【００１６】
この発明における片開き窓の施錠機構の最良の実施形態について、以下に説明する。本発明に係る型開き窓の施錠機構１は、図１に示すように、矩形状に形成されたその一方側が回転自在に窓枠２に設けられ、建物の開口部を開閉自在とする片開き窓扉３の施錠、開錠に関するものであり、前記片開き窓扉３を閉鎖すると同時に該片開き窓扉３を施錠する複数の施錠部４と、該施錠部４を個別に開錠する開錠部５と、を具備するものである。
【００１７】
前記片開き窓扉３は、図１に示すように、矩形状に形成された板ガラス６の周囲にアルミ製の扉枠体７を外嵌するようにして形成されて成り、住宅等の建物の開口部に設けられたアルミ製の窓枠２に当該片開き窓扉３の一方側が回転自在に設けられたものである。そして、本実施形態においては、図１に示すように、片開き窓扉３の扉枠体７の高さ方向の一方側７ａが蝶番８等によって窓枠２に屋外側に開くように回転自在に固定されている。しかし、これに限定されず、片開き窓扉３は、屋内側に開くようになっていてもよい。
【００１８】
また、前記建物は、戸建住宅やマンション等の他にもデパートやショッピングセンター等の商業施設等も含むものである。そして、片開き窓扉３の扉枠体７や建物の開口部に設けられた窓枠２は前述のようにアルミ製でなくとも樹脂製、木製を始め種々の材料を使用することができるのは勿論である。また、片開き窓扉３の形状も矩形に限定されることはない。さらに、図１に示すように、片開き窓扉３にはこれを開閉する際に使用する把手９が適宜取付けられている。
【００１９】
前記扉枠体７の屋外側には、図２に示すように、扉枠体７から窓枠２側に突出して片開き窓扉３を閉鎖した際に当該窓枠２の屋外側面２ａに当接して扉枠体７と窓枠２の間の隙間Ａを塞ぐための封鎖片１０が該扉枠体７の高さ方向に亘って設けられている。そして、該封鎖片１０の屋内側面１０ａには、片開き窓扉３を閉鎖した際に、窓枠２の屋外側面２ａとの間の気密性を確保するための周知のゴム製等の気密部材１１が設けられている。これによって、図６に示すように、扉枠体７と窓枠２との間に隙間Ａが生じても建物の内外の気密性が保持できるようになっている。
【００２０】
前記施錠部４は、前記片開き窓扉３を閉鎖すると同時に該片開き窓扉３を施錠するものであって、図２に示すように、前記窓枠２の内側面から片開き窓扉３方向へ突出するように付勢して設けられたラッチボルト１２と、前記片開き窓扉３を閉鎖した際に前記ラッチボルト１２と対向位置で該片開き窓扉３の扉枠体７に、その開口側を窓枠２に向けて設けられた施錠凹部１３とからなる。
【００２１】
前記ラッチボルト１２は、図２に示すように、その窓枠２の内側面から突出した突出部分１２ｄが上視図が直角三角柱状に形成されており、これが施錠凹部１３内で突出し格納されることにより、片開き窓扉３がラッチボルト１２によって係止される。すなわち、図４、図５に示すように、片開き窓扉３を閉鎖する際に、ラッチボルト１２と扉枠体７との滑りを良くして、該ラッチボルト１２が容易にその付勢力に抗して窓枠２内に引込むように該ラッチボルト１２の扉枠体７との当接側である屋外側には傾斜面１２ａが設けられている。そして、図６、図７に示すように、ラッチボルト１２の屋内側には窓枠２の表面と直角方向に平面部１２ｂが設けられており、これによって、片開き窓扉３に開方向の力が作用した際に、施錠凹部１３内に突出し格納されたラッチボルト１２の当該平面部１２ｂと施錠凹部１３の屋内側面１３ａとが当接することで施錠部４が施錠され、該片開き窓扉３を開放することができない。
【００２２】
前記開錠部５は、図２に示すように、片開き窓扉３の扉枠体７と窓枠２の隙間Ａのラッチボルト１２の下方において窓枠２をその厚み方向に横切るように設けられた押込み部材１４と、該押込み部材１４を屋内側から操作可能な操作部１５と、これら押込み部材１４と操作部１５とを窓枠２の屋内側面２ｂに固定された図外の軸受けで回転自在に支持されている軸部１６によって連結された構成となっている。そのため、操作部１５を、軸部１６を中心に上下動させることによって押込み部材１４は操作部１５とは逆に扉枠体７と窓枠２の隙間Ａ内で軸部１６を中心に上下動する。
【００２３】
押込み部材１４が上方へ回動する際に、図８、９、１０に示すように、ラッチボルト１２の傾斜面１２ａの側縁に当接して、当該ラッチボルト１２には付勢力に抗して窓枠２の内部へ押込む方向への力が作用して該ラッチボルト１２が押込まれる。これによって、平面部１２ｂが屋外側面１３ａから外れるために開錠され、片開き窓扉３は開方向へ開く。また、操作部１５を下方に回転させた際に、押込み部材１４がラッチボルト１２を抑え込む範囲を超えて回転しないようにするための回転止めの係止突起１７が扉枠体７と窓枠２との隙間Ａにおいて当該窓枠２の側面に設けられている。
【００２４】
尚、本実施形態においては、施錠部４と開錠部５とをそれぞれ片開き窓扉３、及び窓枠２に２つずつ対応して設けたが、１つずつでもよく、また、これらの数はさらに多くてもよいのは勿論である。そして、押込み部材１４はラッチボルト１２の下方から上方に回転して当該ラッチボルト１２を押込んだが、上方から下方に回転して当該ラッチボルト１２を押込んでもよい。さらに、ラッチボルト１２を窓枠２に設け、施錠凹部１３を片開き窓扉３に設けた例を示したが、これらを逆に設けても同じである。以上のように構成される片開き窓扉３の施錠機構１の使用について以下に説明する。
【００２５】
まず、図１乃至図３に示すように、開放された片開き窓扉３を閉鎖する際には、その扉枠体７に設けられた把手９を建物の内部から屋内側方向に引張るようにして、当該片開き窓扉３を回転させて引寄せる。そして、図４、図５示すように、ラッチボルト１２の傾斜面１２ａが、片開き窓扉３の扉枠体７の一部と接触することによって、当該ラッチボルト１２が徐々に付勢力に抗して窓枠２内側に引込んでいく。さらに、把手９を引張ることによって、ラッチボルト１２は窓枠２内側に完全に引込んだ後、片開き窓扉３が完全に閉鎖された際には、図６、図７に示すように、ラッチボルト１２に対応する位置に設けられた施錠凹部１３内にラッチボルト１２の突出部分１２ｄが突出し格納される。このように、ラッチボルト１２の突出部分１２ｄが施錠凹部１３内に突出し格納されることによって、例えば片開き窓扉３を開放しようとしても、施錠凹部１３の屋内側面１３ａと該ラッチボルト１２の平面部１２ｂとが当接するため、該片開き窓扉３を開放することができない。
【００２６】
次に、前述のようにして閉鎖された片開き窓扉３を開放する際には、個々の施錠部４に対応して設けられてある開錠部５を開錠すればよい。具体的には、図８乃至図１０に示すように、屋内側にある開錠部５の操作部１５を下方に引下げる。これにより、操作部１５と一体に形成され窓枠２と扉枠体７との隙間Ａに介在する押込み部材１４が軸部１６を中心として上方に回転し施錠凹部１３内に突出し格納されたラッチボルト１２を付勢力に抗して窓枠２内に押込むことで、開錠される。この際には、押込み部材１４は窓枠２に設けられた係止突起１７によって開錠状態を維持したままその回転が静止される。そして、全ての施錠部４を１つずつ開錠する。
【００２７】
また、開錠後に片開き窓扉３を開放する際には、把手９を使用して当該片開き窓扉３を建物の内部から屋外側に押出すことで、図１１、図１２に示すように、該片開き窓扉３の扉枠体７と窓枠２の隙間Ａで扉枠体７の屋内側の端部に設けられた解除突起１８が押込み部材１４と接触し、当該片開き窓扉３を開放するに従い徐々に該押込み部材１４を下方に回転させることができる。これにより、押込み部材１４によって付勢力に抗して窓枠２内へ押込まれていた全てのラッチボルト１２を同時に突出させることができる。そして、再び片開き窓扉３を閉鎖する際には前述のように同時に全ての施錠部４を施錠することができる。
【００２８】
以上のような片開き窓扉３の施錠機構１を使用すれば、片開き窓扉３を閉めた際に同時に施錠可能で、且つ、該片開き窓扉３を開ける際には個別に開錠が必要であることにより防犯性を高めることができる。
【産業上の利用可能性】
【００２９】
本発明に係る片開き窓扉３の施錠機構１は、片開き窓扉３だけでなく片開き戸等であっても適応することが可能である。
【図面の簡単な説明】
【００３０】
【図１】本実施形態に係る片開き窓の外観図
【図２】本実施形態に係る片開き窓を閉鎖しようとする状態における施錠部、及び開錠部の拡大斜視図
【図３】本実施形態に係る片開き窓を閉鎖しようとする状態における施錠部、及び開錠部の上断面図
【図４】ラッチボルトが片開き窓と接触して窓枠内に引込む状態を示す拡大斜視図
【図５】ラッチボルトが片開き窓と接触して窓枠内に引込む状態を示す上断面図
【図６】本実施形態に係る片開き窓が閉鎖された状態を示す拡大斜視図
【図７】本実施形態に係る片開き窓が閉鎖された状態を示す上断面図
【図８】押込み部材によってラッチボルトが窓枠内に押込まれた状態を示す拡大斜視図
【図９】押込み部材によってラッチボルトが窓枠内に押込まれた状態を示す上断面図
【図１０】押込み部材によってラッチボルトが窓枠内に押込まれた状態を示す側面図
【図１１】押込み部材が突起と当接する状態を示す上断面図
【図１２】押込み部材が突起と当接して該押込み部材が回転する状態を示す側面図
【符号の説明】
【００３１】
１        施錠機構
２        窓枠
３        片開き窓
４        施錠部
５        開錠部
７        枠体
１２      ラッチボルト
１２ｄ    突出部分
１３      箱受
１４      押込み部材
１５      操作部
１８      突起
【図１】
2010070955.tif 000003
【図２】
2010070955.tif 000004
【図３】
2010070955.tif 000005
【図４】
2010070955.tif 000006
【図５】
2010070955.tif 000007
【図６】
2010070955.tif 000008
【図７】
2010070955.tif 000009
【図８】
2010070955.tif 000010
【図９】
2010070955.tif 000011
【図１０】
2010070955.tif 000012
【図１１】
2010070955.tif 000013
【図１２】
2010070955.tif 000014